(57)【要約】  【課題】  熱源の種々の形態に順応可能であって、軽量で、弾性変形性に富み、放熱効率に優れ、かつ長期の使用にも好適な放熱構造体、および当該放熱構造体を備えるバッテリーを提供する。  【解決手段】  本発明は、熱源からの放熱を高める複数の放熱部材８，９が連結された放熱構造体１であって、放熱部材８，９は、熱源からの熱を伝えるためのスパイラル状に巻回しながら進行する形状の熱伝導シート２０と、熱伝導シート２０の環状裏面に備えられ、熱伝導シート２０に比べて熱源の表面形状に合わせて変形容易なクッション部材２１と、熱伝導シート２０の巻回しながら進行する方向に貫通する貫通路２２と、を備え、隣り合わせに配置される２つの放熱部材８，９は、互いに熱伝導シート２０の巻く方向を異なるように巻いた放熱構造体１、およびそれを備えるバッテリー３０に関する。【選択図】図１
2020191171.tif 000002
【特許請求の範囲】
【請求項１】
熱源からの放熱を高める複数の放熱部材が連結された放熱構造体であって、
前記放熱部材は、
前記熱源からの熱を伝えるためのスパイラル状に巻回しながら進行する形状の熱伝導シートと、
前記熱伝導シートの環状裏面に備えられ、前記熱伝導シートに比べて前記熱源の表面形状に合わせて変形容易なクッション部材と、
前記熱伝導シートの巻回しながら進行する方向に貫通する貫通路と、
を備え、
隣り合わせに配置される２つの前記放熱部材は、互いに前記熱伝導シートの巻く方向を異なるように巻いたものであることを特徴とする放熱構造体。
【請求項２】
前記複数の放熱部材をその長さ方向と直交する方向に並べた状態で固定可能な部材であって、前記複数の放熱部材の前記長さ方向の少なくとも一端部を固定する固定部材を備える請求項１に記載の放熱構造体。
【請求項３】
前記固定部材は、前記放熱部材の長さ方向と直交する方向に並んだ前記複数の放熱部材を囲むように形成される請求項２に記載の放熱構造体。
【請求項４】
前記固定部材は、その厚さが、前記熱源からの押圧により変形した前記放熱部材の厚さより薄くなるよう形成される請求項２または３に記載の放熱構造体。
【請求項５】
前記クッション部材は、前記長さ方向に前記貫通路を有する筒状クッション部材であって、
前記熱伝導シートは、前記筒状クッション部材の外側面をスパイラル状に巻回している請求項１から４のいずれか１項に記載の放熱構造体。
【請求項６】
前記クッション部材は、前記熱伝導シートの前記環状裏面に沿ってスパイラル状に巻回しているスパイラル状クッション部材である請求項１から４のいずれか１項に記載の放熱構造体。
【請求項７】
前記複数の放熱部材を前記長さ方向と直交する方向に並べた状態で連結する連結部材を備え、
前記連結部材は、糸で構成される請求項１から６のいずれか１項に記載の放熱構造体。
【請求項８】
前記熱伝導シートの表面に、当該表面に接触する熱源から当該表面への熱伝導性を高めるための熱伝導性オイルを有する請求項１から７のいずれか１項に記載の放熱構造体。
【請求項９】
前記熱伝導性オイルは、シリコーンオイルと、前記シリコーンオイルより熱伝導性が高く、金属、セラミックスまたは炭素の１以上からなる熱伝導性フィラーとを含む請求項８に記載の放熱構造体。
【請求項１０】
冷却部材を流す構造を持つ筐体内に、１または２以上の熱源としてのバッテリーセルを備えたバッテリーであって、前記バッテリーセルと前記筐体との間に、請求項１から９のいずれか１項に記載の放熱構造体を備えるバッテリー。
【発明の詳細な説明】
【技術分野】
【０００１】
本発明は、放熱構造体およびそれを備えるバッテリーに関する。
【背景技術】
【０００２】
自動車、航空機、船舶あるいは家庭用若しくは業務用電子機器の制御システムは、より高精度かつ複雑化してきており、それに伴って、回路基板上の小型電子部品の集積密度が増加の一途を辿っている。この結果、回路基板周辺の発熱による電子部品の故障や短寿命化を解決することが強く望まれている。
【０００３】
回路基板からの速やかな放熱を実現するには、従来から、回路基板自体を放熱性に優れた材料で構成し、ヒートシンクを取り付け、あるいは冷却ファンを駆動するといった手段を単一で若しくは複数組み合わせて行われている。これらの内、回路基板自体を放熱性に優れた材料、例えばダイヤモンド、窒化アルミニウム（ＡｌＮ）、立方晶窒化ホウ素（ｃＢＮ）等から構成する方法は、回路基板のコストを極めて高くしてしまう。また、冷却ファンの配置は、ファンという回転機器の故障、故障防止のためのメンテナンスの必要性や設置スペースの確保が難しいという問題を生じる。これに対して、放熱フィンは、熱伝導性の高い金属（例えば、アルミニウム）を用いた柱状あるいは平板状の突出部位を数多く形成することによって表面積を大きくして放熱性をより高めることのできる簡易な部材であるため、放熱部品として汎用的に用いられている（特許文献１を参照）。
【０００４】
ところで、現在、世界中で、地球環境への負荷軽減を目的として、従来からのガソリン車あるいはディーゼル車を徐々に電気自動車に転換しようとする動きが活発化している。特に、フランス、オランダ、ドイツをはじめとする欧州諸国の他、中国でも、電気自動車が普及してきている。電気自動車の普及には、高性能バッテリーの開発の他、多数の充電スタンドの設置などが必要となる。特に、リチウム系の自動車用バッテリーの充放電機能を高めるための技術開発が重要である。上記自動車バッテリーは、摂氏６０度以上の高温下では充放電の機能を十分に発揮できないことが良く知られている。このため、先に説明した回路基板と同様、バッテリーにおいても、放熱性を高めることが重要視されている。
【０００５】
バッテリーの速やかな放熱を実現するには、アルミニウム等の熱伝導性に優れた金属製の筐体に水冷パイプを配置し、当該筐体にバッテリーセルを多数配置し、バッテリーセルと筐体の底面との間に密着性のゴムシートを挟んだ構造が採用されている。このような構造のバッテリーでは、バッテリーセルは、ゴムシートを通じて筐体に伝熱して、水冷によって効果的に除熱される。
【先行技術文献】
【特許文献】
【０００６】
【特許文献１】特開２００８−２４３９９９
【発明の概要】
【発明が解決しようとする課題】
【０００７】
しかし、上述のような従来のバッテリーにおいて、ゴムシートは、アルミニウムやグラファイトと比べて熱伝導性が低いため、バッテリーセルから筐体に効率よく熱を移動させることが難しい。また、ゴムシートに代えてグラファイト等のスペーサを挟む方法も考えられるが、複数のバッテリーセルの下面が平らではなく段差を有することから、バッテリーセルとスペーサとの間に隙間が生じ、伝熱効率が低下する。かかる一例にもみられるように、バッテリーセルは種々の形態（段差等の凹凸あるいは非平滑な表面状態を含む）をとり得ることから、バッテリーセルの種々の形態に順応可能であって高い伝熱効率を実現することの要望が高まっている。また、高い伝熱効率を実現するためには、多数のバッテリーセルの温度が均一となるように、多数のバッテリーセル各々から均一に放熱させることが望ましい。さらには、バッテリーセルの容器の材質をより軽量で弾性変形することが要望されており、バッテリーセルの軽量化やバッテリーセルを除去したときに元の形状に近い形状に戻る放熱構造体が望まれている。
【０００８】
本出願人に属する発明者は、本発明に先立ち、管状のゴム状弾性体の外側面に、炭素を含む熱伝導シートをスパイラル状に巻いた構成の放熱部材を複数本ならべて備える放熱構造体を開発した（本発明の時点において未公開）。当該放熱構造体は、上記従来からの課題を解決可能な優れた特性を有している。しかし、これをさらに改良して、長期の使用、特に繰り返しの使用に耐えられるようにすることが望まれている。これは、バッテリーセルのみならず、回路基板、電子部品あるいは電子機器本体のような他の熱源にも通じる。
【０００９】
本発明は、上記課題に鑑みてなされたものであり、熱源の種々の形態に順応可能であって、軽量で、弾性変形性に富み、放熱効率に優れ、かつ長期の使用にも好適な放熱構造体、および当該放熱構造体を備えるバッテリーを提供することを目的とする。
【課題を解決するための手段】
【００１０】
（１）上記目的を達成するための一実施形態に係る放熱構造体は、熱源からの放熱を高める複数の放熱部材が連結された放熱構造体であって、前記放熱部材は、前記熱源からの熱を伝えるためのスパイラル状に巻回しながら進行する形状の熱伝導シートと、前記熱伝導シートの環状裏面に備えられ、前記熱伝導シートに比べて前記熱源の表面形状に合わせて変形容易なクッション部材と、前記熱伝導シートの巻回しながら進行する方向に貫通する貫通路と、
を備え、隣り合わせに配置される２つの前記放熱部材は、互いに前記熱伝導シートの巻く方向を異なるように巻いたものである。
（２）別の実施形態に係る放熱構造体は、好ましくは、前記複数の放熱部材をその長さ方向と直交する方向に並べた状態で固定可能な部材であって、前記複数の放熱部材の前記長さ方向の少なくとも一端部を固定する固定部材を備える。
（３）別の実施形態に係る放熱構造体において、好ましくは、前記固定部材は、前記放熱部材の長さ方向と直交する方向に並んだ前記複数の放熱部材を囲むように形成される。
（４）別の実施形態に係る放熱構造体において、好ましくは、前記固定部材は、その厚さが、前記熱源からの押圧により変形した前記放熱部材の厚さより薄くなるよう形成される。
（５）別の実施形態に係る放熱構造体において、好ましくは、前記クッション部材は、前記長さ方向に前記貫通路を有する筒状クッション部材であって、前記熱伝導シートは、前記筒状クッション部材の外側面をスパイラル状に巻回している。
（６）別の実施形態に係る放熱構造体において、好ましくは、前記クッション部材は、前記熱伝導シートの前記環状裏面に沿ってスパイラル状に巻回しているスパイラル状クッション部材である。
（７）別の実施形態に係る放熱構造体は、好ましくは、前記複数の放熱部材を前記長さ方向と直交する方向に並べた状態で連結する連結部材を備え、前記連結部材は、糸で構成される。
（８）別の実施形態に係る放熱構造体は、好ましくは、前記熱伝導シートの表面に、当該表面に接触する熱源から当該表面への熱伝導性を高めるための熱伝導性オイルを有する。
（９）別の実施形態に係る放熱構造体において、好ましくは、前記熱伝導性オイルは、シリコーンオイルと、前記シリコーンオイルより熱伝導性が高く、金属、セラミックスまたは炭素の１以上からなる熱伝導性フィラーとを含む。
（１０）一実施形態に係るバッテリーは、冷却部材を流す構造を持つ筐体内に、１または２以上の熱源としてのバッテリーセルを備えたバッテリーであって、前記バッテリーセルと前記筐体との間に、上述のいずれかの放熱構造体を備える。
【発明の効果】
【００１１】
本発明によれば、熱源の種々の形態に順応可能であって、軽量で、弾性変形性に富み、放熱効率に優れ、かつ長期の使用にも好適な放熱構造体、および当該放熱構造体を備えるバッテリーを提供できる。
【図面の簡単な説明】
【００１２】
【図１】図１は、本発明の第１実施形態に係る放熱構造体の平面図（１Ａ）および当該（１Ａ）におけるＡ−Ａ線断面中の領域Ｂの拡大図（１Ｂ）をそれぞれ示す。
【図２】図２は、図１（１Ａ）に示す放熱構造体を矢印Ｃ方向から見た側面図（２Ａ）および当該（１Ａ）に示す放熱構造体を矢印Ｄ方向から見た側面図（２Ｂ）をそれぞれ示す。
【図３】図３は、本発明の第２実施形態に係る放熱構造体の平面図を示す。
【図４】図４は、放熱構造体の製造方法の一部を説明するための図を示す。
【図５】図５は、本発明の実施形態１，２に係る放熱構造体の変形例およびその製造方法を説明するための図を示す。
【図６】図６は、本発明の実施形態に係るバッテリーの縦断面図（６Ａ）および熱源の一例であるバッテリーセルの一部を放熱構造体上に載せる前後の縦断面図（６Ｂ）をそれぞれ示す。
【図７】図７は、放熱構造体の上に、バッテリーセルの側面を接触させるように横置きにしたときの断面図、その一部拡大図および充放電時にバッテリーセルが膨張した際の一部断面図をそれぞれ示す。
【発明を実施するための形態】
【００１３】
次に、本発明の各実施形態について、図面を参照して説明する。なお、以下に説明する各実施形態は、特許請求の範囲に係る発明を限定するものではなく、また、各実施形態の中で説明されている諸要素及びその組み合わせの全てが本発明の解決手段に必須であるとは限らない。
【００１４】
１．放熱構造体
（第１実施形態）
図１は、本発明の第１実施形態に係る放熱構造体の平面図（１Ａ）および当該（１Ａ）におけるＡ−Ａ線断面中の領域Ｂの拡大図（１Ｂ）をそれぞれ示す。図２は、図１（１Ａ）に示す放熱構造体を矢印Ｃ方向から見た側面図（２Ａ）および当該（１Ａ）に示す放熱構造体を矢印Ｄ方向から見た側面図（２Ｂ）をそれぞれ示す。
【００１５】
（１）概略構成
第１実施形態に係る放熱構造体１は、熱源からの放熱を高める複数の放熱部材８，９が連結された放熱構造体である。放熱部材８，９は、熱源からの熱を伝えるためのスパイラル状に巻回しながら進行する形状の熱伝導シート２０と、熱伝導シート２０の環状裏面に備えられ、熱伝導シート２０に比べて熱源の表面形状に合わせて変形容易なクッション部材２１と、熱伝導シート２０の巻回しながら進行する方向に貫通する貫通路２２と、を備える。クッション部材２１は、その長さ方向に貫通路２２を有する筒状クッション部材である。熱伝導シート２０は、筒状クッション部材の外側面をスパイラル状に巻回している。なお、「放熱部材」を、「伝熱部材」と称しても良い。
【００１６】
放熱構造体１は、複数の放熱部材８，９をその長さ方向と直交する方向に並べた状態で固定可能な部材であって、複数の放熱部材８，９の長さ方向の両端部を固定する枠部材（固定部材の一例）１０を、さらに備える。ただし、枠部材１０は、複数の放熱部材８，９の長さ方向の少なくとも一端部を固定する部材であっても良い。この実施形態において、枠部材１０は、放熱部材８．９の長さ方向と直交する方向に並んだ複数の前記放熱部材８，９を囲むように形成される部材であって、枠内部に、枠部材１０を貫通する開口部１１を備えている。複数の放熱部材８，９は、開口部１１上に浮いた状態で、枠部材１０の片面に固定されている。枠部材１０は、その厚さが、熱源からの押圧により変形した放熱部材８，９の厚さより薄くなるよう形成されている。このため、放熱部材８，９における開口部１１と反対側の方向から熱源によって開口部１１側に押圧すると、放熱部材８，９は、その厚さ方向（Ｚ方向）の一部を開口部１１に沈み込ませるように撓むことができる。
【００１７】
放熱構造体１は、複数の放熱部材８，９をその長さ方向と直交する方向に並べた状態で連結する糸７（連結部材の一例）を備える。この実施形態では、連結部材としての糸７は、放熱部材８，９の長さ方向の両端部を枠部材１０の対向両辺（図１のＹ方向にある両辺）上に載せた状態で、放熱部材８，９を枠部材１０に固定する。また、糸７は、放熱部材８，９の長さ方向略中間位置にて複数の放熱部材８，９を連結して、放熱部材８，９のならぶ延長線上に位置する対向両辺（図１のＸ方向にある両辺）に固定する。
【００１８】
次に、放熱構造体１の各構成要素について説明する。
【００１９】
（２）熱伝導シート
【００２０】
熱伝導シート２０は、好ましくは炭素を含むシートであり、さらに好ましくは９０質量％以上を炭素から構成されるシートである。例えば、熱伝導シート２０に、樹脂を焼成して成るグラファイト製のフィルムを用いることもできる。ただし、熱伝導シート２０は、炭素と樹脂とを含むシートであっても良い。その場合、樹脂は、合成繊維でも良く、その場合には、樹脂として好適にはアラミド繊維を用いることができる。本願でいう「炭素」は、グラファイト、グラファイトより結晶性の低いカーボンブラック、ダイヤモンド、ダイヤモンドに近い構造を持つダイヤモンドライクカーボン等の炭素（元素記号：Ｃ）から成る如何なる構造のものも含むように広義に解釈される。熱伝導シート２０は、この実施形態では、樹脂に、グラファイト繊維やカーボン粒子を配合分散した材料を硬化させた薄いシートとすることができる。熱伝導シート２０は、メッシュ状に編んだカーボンファイバーであっても良く、さらには混紡してあっても混編みしてあっても良い。なお、グラファイト繊維、カーボン粒子あるいはカーボンファイバーといった各種フィラーも、すべて、炭素フィラーの概念に含まれる。
【００２１】
熱伝導シート２０を炭素と樹脂とを備えるシートとする場合には、当該樹脂が熱伝導シート２０の全質量に対して５０質量％を超えていても、あるいは５０質量％以下であっても良い。すなわち、熱伝導シート２０は、熱伝導に大きな支障が無い限り、樹脂を主材とするか否かを問わない。樹脂としては、例えば、熱可塑性樹脂を好適に使用できる。熱可塑性樹脂としては、熱源からの熱を伝導する際に溶融しない程度の高融点を備える樹脂が好ましく、例えば、ポリフェニレンスルフィド（ＰＰＳ）、ポリエーテルエーテルケトン（ＰＥＥＫ）、ポリアミドイミド（ＰＡＩ）、芳香族ポリアミド（アラミド繊維）等を好適に挙げることができる。樹脂は、熱伝導シート２０の成形前の状態において、炭素フィラーの隙間に、例えば粒子状あるいは繊維状に分散している。熱伝導シート２０は、炭素フィラー、樹脂の他、熱伝導をより高めるためのフィラーとして、ＡｌＮあるいはダイヤモンドを分散していても良い。また、樹脂に代えて、樹脂よりも柔軟なエラストマーを用いても良い。熱伝導シート２０は、また、上述のような炭素に代えて若しくは炭素と共に、金属および／またはセラミックスを含むシートとすることができる。金属としては、アルミニウム、銅、それらの内の少なくとも１つを含む合金などの熱伝導性の比較的高いものを選択できる。また、セラミックスとしては、Ａｌ２Ｏ３、ＡｌＮ、ｃＢＮ、ｈＢＮなどの熱伝導性の比較的高いものを選択できる。
【００２２】
熱伝導シート２０は、導電性に優れるか否かは問わない。熱伝導シート２０の熱伝導率は、好ましくは１０Ｗ／ｍＫ以上である。この実施形態では、熱伝導シート２０は、好ましくは、グラファイトの帯状の板であり、熱伝導性と導電性に優れる材料から成る。熱伝導シート２０は、湾曲性（若しくは屈曲性）に優れるシートであるのが好ましく、その厚さに制約はないが、０．０２〜３ｍｍが好ましく、０．０３〜０．５ｍｍがより好ましい。ただし、熱伝導シート２０の熱伝導率は、その厚さが増加するほど低下するため、シートの強度、可撓性および熱伝導性を総合的に考慮して、その厚さを決定するのが好ましい。
【００２３】
隣り合わせに配置される２つの放熱部材８，９は、互いに熱伝導シート２０の巻く方向を異なるように巻いたものである。放熱部材８，９は、好ましくは、熱源からの押圧を受けた際に、押圧前の直径Ｄが０．８Ｄになる程度に圧縮され、その結果、隣り合う放熱部材８，９同士が接触しないような十分な隙間（Ｌ）を備えて枠部材１０に固定されている。放熱部材８，９は、柔軟性に富むクッション部材２１を芯材として熱伝導シート２０をスパイラル状に巻いた構造を有する長尺の筒状部材である。また、放熱部材８，９の固定位置のズレ、あるいは熱源の膨張により放熱部材８，９が過度に圧縮され、互いに接触する場合もある。この場合、放熱部材８，９の外表面を構成する熱伝導シート２０の巻回方向を逆にしておくと、熱伝導シート２０をスパイラル状に巻いたときの溝が両放熱部材８，９の接触面において交差した状態となる。このため、熱伝導シート２０がめくれる、あるいは剥がれる危険性を低減できる。一方、本発明外の構成を採用した場合、すなわち、放熱部材８，９の外表面を構成する熱伝導シート２０の巻回方向を同一にした場合には、熱伝導シート２０をスパイラル状に巻いたときの溝が両放熱部材８，９の接触面において重なりやすくなる。このため、放熱構造体１の使用期間が長くなるにつれ、隣り合う放熱部材８，９同士が擦れて、熱伝導シート２０がめくれる、あるいは剥がれる危険性が高まる。
【００２４】
（３）クッション部材
クッション部材２１の重要な機能は、変形容易性と回復力である。回復力は、クッション部材２１の弾性変形性に依る。変形容易性は、熱源の形状に追従するために必要な特性であり、特にリチウムイオンバッテリーなどの半固形物、液体的性状も持つ内容物などを変形しやすいパッケージに収めるようなバッテリーセルの場合には、設計寸法的にも不定形または寸法精度があげられない場合が多い。このため、クッション部材２１の変形容易性や追従力を保持するための回復力の保持は重要である。
【００２５】
クッション部材２１は、熱伝導シート２０の筒内に備えられる筒状クッション部材である。クッション部材２１の長さ方向には、貫通路（中空部と称しても良い）２２が形成されている。貫通路２２は、この実施形態では、クッション部材２１の長さ方向に貫通している。ただし、貫通路２２の長さ方向の両端の少なくとも一方を閉塞しても良い。
【００２６】
クッション部材２１は、放熱部材８，９に接触する熱源が平坦でない場合でも、熱伝導シート２０と熱源との接触を良好にする機能を有する。さらに、貫通路２２は、クッション部材２１の変形を容易にし、加えて放熱構造体１の軽量化に寄与する。クッション部材２１は、熱源等からの熱伝導シート２０に加わる荷重によって熱伝導シート２０が破損等しないようにする保護部材としての機能も有する。クッション部材２１は、熱伝導シート２０に比べて弾性変形しやすく、熱源等からの押圧及びその開放による変形に起因して、割れや亀裂が入りにくい。このため、クッション部材２１は、熱伝導シート２０に亀裂が生じる事態を抑制することができる。なお、この実施形態では、クッション部材２１は、熱伝導シート２０に比べて低熱伝導性の部材である。
【００２７】
クッション部材２１は、好ましくは、シリコーンゴム、ウレタンゴム、イソプレンゴム、エチレンプロピレンゴム、天然ゴム、エチレンプロピレンジエンゴム、ニトリルゴム（ＮＢＲ）あるいはスチレンブタジエンゴム（ＳＢＲ）等の熱硬化性エラストマー；  ウレタン系、エステル系、スチレン系、オレフィン系、ブタジエン系、フッ素系等の熱可塑性エラストマー、あるいはそれらの複合物等を含むように構成される。クッション部材２１は、熱伝導シート２０を伝わる熱によって溶融あるいは分解等せずにその形態を維持できる程度の耐熱性の高い材料から構成されるのが好ましい。この実施形態では、クッション部材２１は、より好ましくは、ウレタン系エラストマー中にシリコーンを含浸したもの、あるいはシリコーンゴムにより構成される。クッション部材２１は、その熱伝導性を少しでも高めるために、ゴム中にＡｌ２Ｏ３、ＡｌＮ、ｃＢＮ、ｈＢＮ、ダイヤモンドの粒子等に代表されるフィラーを分散して構成されていても良い。クッション部材２１は、その内部に気泡を含むものの他、気泡を含まないものでも良い。また、「クッション部材」は、柔軟性に富み、熱源の表面に密着可能に弾性変形可能な部材を意味し、かかる意味では「ゴム状弾性体」と読み替えることもできる。さらに、クッション部材２１の変形例としては、上記ゴム状弾性体ではなく、金属を用いて構成することもできる。クッション部材２１は、樹脂やゴム等から形成されたスポンジあるいはソリッド（スポンジのような多孔質ではない構造のもの）で構成することも可能である。
【００２８】
（４）連結部材
連結部材の一例である糸７は、複数の放熱部材８，９を連結して、放熱部材８，９の自由な動きを規制する部材である。糸７は、好ましくは、１２０℃程度の高温に耐え得る糸であって、天然繊維、合成繊維、カーボン繊維、金属繊維等の繊維からなる撚糸で構成されることが好ましい。糸７は、放熱部材８，９が熱源等の加重を受けて扁平形状になっても、それを許容するだけの柔軟性あるいは輪の空間領域を備えるのが好ましい。複数の放熱部材８，９は、放熱部材８，９の貫通路２２に糸７を到達するように縫って連結されている。糸７によって放熱部材８，９を縫って連結するには、手で縫っても、あるいはソーイングマシンを使って縫っても良い。糸７の縫い方は、特に限定されず、手縫い、本縫い、千鳥縫い、単環縫い、二重環縫い、縁かがり縫い、扁平縫い、安全縫い、オーバーロック等の如何なる縫い方でも良い。また、ＪＩＳ  Ｌ  ０１２０の規定する表示記号によれば、好適な縫い方として、「１０１」、「２０９」、「３０１」、「３０４」、「４０１」、「４０６」、「４０７」、「４１０」、「５０１」、「５０２」、「５０３」、「５０４」、「５０５」、「５０９」、「５１２」、「５１４」、「６０２」および「６０５」の各種縫い目を構成する縫い方を例示できる。また、糸７の長さ方向に複数の輪をつくり、その輪の中に放熱部材８，９を通して、放熱部材８，９同士を連結しても良い。なお、糸７以外の連結部材を用いて、放熱部材８，９同士を連結、あるいは放熱部材８，９を枠部材１０等の固定部材に固定しても良い。糸７以外の連結部材としては、一本の長尺部材の長さ方向に沿って配列される複数本の突出部を備えたものを例示できる。放熱部材８，９は、貫通路２２に突出部を挿入して連結部材により連結可能である。
【００２９】
（５）熱伝導性オイル
熱伝導性オイルは、好ましくは、シリコーンオイルと、シリコーンオイルより熱伝導性が高く、金属、セラミックスまたは炭素の１以上からなる熱伝導性フィラーとを含む。熱伝導シート２０は、微視的に、隙間（孔あるいは凹部）を有する。通常、当該隙間には空気が存在し、熱伝導性に悪影響を及ぼす可能性が有る。熱伝導性オイルは、その隙間を埋めて、空気に代わって存在することになり、熱伝導シート２０の熱伝導性を向上させる機能を有する。
【００３０】
熱伝導性オイルは、熱伝導シート２０の表面、少なくとも熱源等と熱伝導シート２０とが接触する面に備えられている。本願において、熱伝導性オイルの「オイル」は、非水溶性の常温（２０〜２５℃の範囲の任意の温度）で液状若しくは半固形状の可燃物質をいう。「オイル」という文言に代え、「グリース」あるいは「ワックス」を用いることもできる。熱伝導性オイルは、熱源から熱伝導シート２０に熱を伝える際に熱伝導の障害にならない性質のオイルである。熱伝導性オイルには、炭化水素系のオイル、シリコーンオイルを用いることができる。熱伝導性オイルは、好ましくは、シリコーンオイルと、シリコーンオイルより熱伝導性が高く、金属、セラミックスまたは炭素の１以上からなる熱伝導性フィラーとを含む。
【００３１】
シリコーンオイルは、好ましくは、シロキサン結合が２０００以下の直鎖構造の分子から成る。シリコーンオイルは、ストレートシリコーンオイルと、変性シリコーンオイルとに大別される。ストレートシリコーンオイルとしては、ジメチルシリコーンオイル、メチルフェニルシリコーンオイル、メチルハイドロジェンシリコーンオイルを例示できる。変性シリコーンオイルとしては、反応性シリコーンオイル、非反応性シリコーンオイルを例示できる。反応性シリコーンオイルは、例えば、アミノ変性タイプ、エポキシ変性タイプ、カルボキシ変性タイプ、カルビノール変性タイプ、メタクリル変性タイプ、メルカプト変性タイプ、フェノール変性タイプ等の各種シリコーンオイルを含む。非反応性シリコーンオイルは、ポリエーテル変性タイプ、メチルスチリル変性タイプ、アルキル変性タイプ、高級脂肪酸エステル変性タイプ、親水性特殊変性タイプ、高級脂肪酸含有タイプ、フッ素変性タイプ等の各種シリコーンオイルを含む。シリコーンオイルは、耐熱性、耐寒性、粘度安定性、熱伝導性に優れたオイルであるため、熱伝導シート２０の表面に塗布して、熱源等と熱伝導シート２０との間に介在させる熱伝導性オイルとして特に好適である。熱伝導性オイルは、好ましくは、油分以外に、金属、セラミックスまたは炭素の１以上からなる熱伝導性フィラーを含む。金属としては、金、銀、銅、アルミニウム、ベリリウム、タングステンなどを例示できる。セラミックスとしては、アルミナ、窒化アルミニウム、キュービック窒化ホウ素、ヘキサゴナル窒化ホウ素などを例示できる。炭素としては、ダイヤモンド、グラファイト、ダイヤモンドライクカーボン、アモルファスカーボン、カーボンナノチューブなどを例示できる。
【００３２】
熱伝導性オイルは、熱源と熱伝導シート２０との間に介在する他、熱伝導シート２０と冷却部位との間に介在する方が好ましい。熱伝導性オイルは、熱伝導シート２０の全面に塗布されていても、熱伝導シート２０の一部分に塗布されていても良い。熱伝導性オイルを熱伝導シート２０に存在させる方法は、特に制約されることなく、スプレーを用いた噴霧、刷毛等を用いた塗布、熱伝導性オイル中への熱伝導シート２０の浸漬など、如何なる方法によるものでも良い。なお、熱伝導性オイルは、放熱構造体１にとって必須の構成ではなく、好適に備えることのできる追加的な構成である。これは、第２実施形態以降でも同様である。
【００３３】
（６）固定部材
枠部材１０に代表される固定部材の材料には、特に制約はなく、例えば、熱可塑性樹脂、熱硬化性樹脂、光硬化性樹脂あるいは電子線硬化性樹脂を好適に用いることができる。固定部材は、複数の放熱部材８，９を固定するために用いられ、熱源と、冷却部材若しくは冷却部材に近接する冷却部位との間に放熱構造体１を配置しやすくする機能を持つ。
【００３４】
（第２実施形態）
次に、第２実施形態に係る放熱構造体について説明する。第１実施形態と共通する部分については同じ符号を付して重複した説明を省略する。
【００３５】
図３は、本発明の第２実施形態に係る放熱構造体の平面図を示す。
【００３６】
第２実施形態に係る放熱構造体１ａは、上述の放熱構造体１と同様、複数の放熱部材８，９を備える。放熱構造体１ａが放熱構造体１と異なる部分は、固定部材の形態である。放熱構造体１ａの固定部材は、放熱部材８，９の長さ方向の両端を固定する２本のバー１０ａである。放熱部材８，９の両端は、糸７を用いてバー１０ａに固定されている。糸７は、放熱構造体１とは異なり、放熱部材８，９の長さ方向の略中間部の固定には用いられていない。
【００３７】
第２実施形態においても、放熱部材８，９の外表面を構成する熱伝導シート２０の巻回方向は、互いに逆回りである。このため、熱伝導シート２０をスパイラル状に巻いたときの溝は、両放熱部材８，９の接触面において交差した状態となる。したがって、熱伝導シート２０がめくれる、あるいは剥がれる危険性を低減できる。
【００３８】
２．放熱構造体の製造方法
次に、本発明の上記各実施形態に係る放熱構造体の製造方法について説明する。
【００３９】
図４は、放熱構造体の製造方法の一部を説明するための図を示す。
【００４０】
まず、クッション部材２１を成形する。次に、帯状の熱伝導シート２０をクッション部材２１の外側面にスパイラル状に巻く。このとき、クッション部材２１が完全には硬化していない未硬化状態で、熱伝導シート２０をクッション部材２１の外側面に巻き、その後、加温によりクッション部材２１を完全に硬化させる。そして、帯状の熱伝導シート２０のクッション部材２１の両端からはみ出した部分があれば、そのはみ出した部分をカット若しくはクッション部材２１ごとカットする。最後に、熱伝導シート２０の表面に、熱伝導性オイルを塗布する。なお、放熱部材８と放熱部材９の作製において、熱伝導シート２０を巻く方向のみが異なる。放熱部材８，９をこのように製造することにより、熱伝導シート２０の微視的な隙間に未硬化状態のクッション部材２１が入り込んだ状態で硬化するようにもできる。この結果、接着剤等を使用しなくともクッション部材２１と熱伝導シート２０とを強固に固定することができる。
【００４１】
こうして出来上がった放熱部材８，９は、クッション部材２１の外側面よりも熱伝導シート２０の厚さ分だけ突出した形態を有する。ただし、熱伝導シート２０とクッション部材２１とは、面一であっても良い。また、熱伝導性オイルは、熱伝導シート２０のうち少なくとも熱源と接触する面に塗布されれば良い。熱伝導シート２０のクッション部材２１の両端からはみ出した部分をカットする工程および熱伝導性オイルを塗布する工程は、上述のタイミングで行うことに限定されず、少なくともクッション部材２１に熱伝導シート２０を巻いた後であれば、いつ行ってもよい。また、熱伝導シート２０は、クッション部材２１を完全に硬化させた状態で、その外側面に巻いてもよい。この場合、クッション部材２１の外側面が粘着性を有していなければ、接着剤等を使用して熱伝導シート２０をクッション部材２１に固定してもよい。
【００４２】
放熱構造体１，１ａは、上述の製造方法により製造された複数の放熱部材８，９を、熱伝導シート２０の巻回しながら進行する方向（放熱部材８，９の長さ方向）と直交する方向に並べた状態で、糸７で連結し、固定部材に糸７で縫い付けることにより製造される。より具体的には、放熱構造体１，１ａは、複数の放熱部材８，９を並べた状態で、連結部糸７を用いて手縫い若しくはソーイングマシンで縫い付けることにより連結される。
【００４３】
３．放熱構造体の変形例およびその製造方法
図５は、本発明の実施形態１，２に係る放熱構造体の変形例およびその製造方法を説明するための図を示す。
【００４４】
変形例に係る放熱構造体は、第１実施形態および第２実施形態に係る放熱構造体１，１ａと異なる放熱部材８ａ，９ａを備える。糸７および固定部材は、放熱構造体１，１ａと共通した構造を有する。変形例に係る放熱構造体に備えられる放熱部材８ａ，９ａは、クッション部材２５を、筒状クッション部材とせずに、熱伝導シート２０の裏側に備えられる帯状のクッション部材であって熱伝導シート２０と共にスパイラル状に巻回されているスパイラル状のクッション部材とする。
【００４５】
上述のスパイラル状のクッション部材２５（「スパイラル状クッション部材２５」または単に「クッション部材２５」ともいう）を備える放熱構造体の製造方法の一例は、次の通りである。
【００４６】
まず、略同等の幅を持つ熱伝導シート２０およびクッション部材２５の二層からなる積層体を製造する。次に、熱伝導シート２０の表面に、熱伝導性オイルを塗布する。そして、熱伝導性オイルが塗布された積層体をスパイラル状（コイル状と称しても良い）に、一方向に進行するように巻回する。こうして、積層体をスパイラル状に巻回した細長い形状の放熱部材８ａ，９ａが完成する。なお、熱伝導性オイルは、積層体を製造する前に熱伝導シート２０上に塗布しても良いし、最後に熱伝導シート２０上に塗布しても良い。また、積層体は、好ましくは、クッション部材２５が完全には硬化していない未硬化状態で、熱伝導シート２０をクッション部材２５に積層し、その後、加温によりクッション部材２５を完全に硬化させて形成される。
【００４７】
放熱構造体は、上述の製造方法により製造された複数の放熱部材８ａ，９ａを、熱伝導シート２０の巻回しながら進行する方向（放熱部材８ａ，９ａの長さ方向）と直交する方向に並べた状態で、糸７で連結し、枠部材１０またはバー１０ａに糸７で縫い付けることにより製造される。
【００４８】
放熱部材８ａ，９ａは、その長さ方向に貫通する貫通路２２を備えているが、第１実施形態に係る放熱部材８，９と異なり、放熱部材８ａ，９ａの外側面方向にも貫通している。放熱部材８ａ，９ａは、スパイラル状であるため、上述の放熱部材８，９に比べて、放熱部材８ａ，９ａの長さ方向に伸縮容易である。
【００４９】
４．バッテリー
次に、本発明の実施形態に係るバッテリーについて説明する。
【００５０】
図６は、本発明の実施形態に係るバッテリーの縦断面図（６Ａ）および熱源の一例であるバッテリーセルの一部を放熱構造体上に載せる前後の縦断面図（６Ｂ）をそれぞれ示す。
【００５１】
この実施形態において、バッテリー３０は、例えば、電気自動車用のバッテリーであって、多数のバッテリーセル（単に、セルと称しても良い。）４０を備える。バッテリー３０は、一方に開口する有底型の筐体３１を備える。筐体３１は、好ましくは、アルミニウム若しくはアルミニウム基合金から成る。バッテリーセル４０は、筐体３１の内部３４に配置される。バッテリーセル４０の上方には、電極（不図示）が突出して設けられている。複数のバッテリーセル４０は、好ましくは、筐体３１内において、その両側からネジ等を利用して圧縮する方向に力を与えられて、互いに密着するようになっている（不図示）。筐体３１の底部３２には、冷却部材３５の一例である冷却水を流すために、１または複数の水冷パイプ３３が備えられている。冷却部材は、冷却媒体あるいは冷却剤と称しても良い。
【００５２】
バッテリーセル４０は、底部３２との間に、放熱構造体１を挟むようにして筐体３１内に配置されている。このような構造のバッテリー３０において、バッテリーセル４０は、放熱構造体１を通じて筐体３１に伝熱して、水冷によって効果的に除熱される。なお、冷却部材３５は、冷却水に限定されず、液体窒素、エタノール等の有機溶剤も含むように解釈される。冷却部材３５は、冷却に用いられる状況下にて、液体であるとは限らず、気体あるいは固体でも良い。また、放熱構造体１は、１１個のバッテリーセル４０を載置しているが、バッテリーセル４０の個数は１１個に限定されない。また、放熱部材８，９の個数についても、特に限定されない。
【００５３】
放熱構造体１を構成する複数の放熱部材８，９は、バッテリーセル４０を載置していない状態では略円筒形状を有しているが、バッテリーセル４０を載置するとその重さで圧縮され扁平の形態（断面楕円形状）になる。なお、本願では、「縦断面」とは、バッテリー３０の筐体３１の内部３４における上方開口面から底部３２へと垂直に切断する方向の断面を意味する。
【００５４】
５．その他の実施形態
上述のように、本発明の好適な各実施形態について説明したが、本発明は、これらに限定されることなく、種々変形して実施可能である。
【００５５】
図７は、放熱構造体の上に、バッテリーセルの側面を接触させるように横置きにしたときの断面図、その一部拡大図および充放電時にバッテリーセルが膨張した際の一部断面図をそれぞれ示す。
【００５６】
先述の各実施形態では、バッテリーセル４０を縦にしてその下端に放熱構造体１を接触せしめている状況について説明したが、バッテリーセル４０の配置形態は、これに限定されない。図７に示すように、バッテリーセル４０の側面を放熱構造体１，１ａの各放熱部材８，８ａ，９，９ａに接触させるように、バッテリーセル４０を配置しても良い。バッテリーセル４０は、充電および放電の際に温度上昇する。バッテリーセル４０の容器自体が柔軟性に富む材料にて形成されていると、バッテリーセル４０の特に側面が膨らむ可能性がある。そのような場合でも、放熱構造体１，１ａを構成している各放熱部材８，８ａ，９，９ａがバッテリーセル４０の外面の形状に合わせて変形できるので、充放電時にも放熱性を高く維持できる。
【００５７】
例えば、熱源は、バッテリーセル４０のみならず、回路基板や電子機器本体などの熱を発する対象物を全て含む。例えば、熱源は、キャパシタおよびＩＣチップ等の電子部品であっても良い。放熱構造体１，１ａは、バッテリー３０以外の構造物、例えば、電子機器、家電、発電装置等に配置されていても良い。
【００５８】
また、放熱構造体１，１ａを構成する複数の放熱部材８，８ａ，９，９ａは、その長さ方向の一方の端部のみが固定部材（例えば、バー１０ａ）に固定されていても良い。また、放熱部材８，８ａ，９，９ａは、枠部材１０を構成する４辺と糸７により固定されても良い。また、枠部材１０は、平面視にて四角い枠形状の部材ではなく、楕円、円、三角若しくは五角以上の多角形の外形であってその内側に開口部分を有していても良い。また、枠部材１０のバッテリーセル４０側の面を、放熱部材８，８ａ，９，９ａのバッテリーセル４０側の面と同じ位置にするように、枠部材１０と放熱部材８，８ａ，９，９ａとを固定しても良い。さらに、放熱部材８，８ａ，９，９ａの高さ方向（バッテリーセル４０から底部３２に向かう方向）の中位置に枠部材１０を固定しても良い。また、放熱構造体１，１ａは、枠部材１０あるいはバー１０ａのような固定部材を備えていなくとも良い。
【００５９】
また、放熱部材８ａ，９ａにおけるスパイラル状のクッション部材２５は、熱伝導シート２０の幅と同一に限定されず、熱伝導シート２０の幅に対して大きくても、あるいは小さくても良い。また、貫通路２２は、上記実施形態では、クッション部材２１に形成されている。しかし、クッション部材２１は、貫通路２２を備えていなくても良い。その場合、放熱部材８，９は、スパイラル状の熱伝導シート２０の貫通路内にクッション部材２１を充填した構成を有する。貫通路は、熱伝導シート２０およびクッション部材２１の内、少なくとも熱伝導シート２０の巻回構造によって形成されていれば、クッション部材２１に形成されていなくとも良い。
【００６０】
また、上述の各実施形態の複数の構成要素は、互いに組み合わせ不可能な場合を除いて、自由に組み合わせ可能である。例えば、放熱構造体１ａを、バッテリー３０内に備えても良い。
【産業上の利用可能性】
【００６１】
本発明に係る放熱構造体は、例えば、自動車用バッテリーの他、自動車、工業用ロボット、発電装置、ＰＣ、家庭用電化製品などの各種電子機器にも利用することができる。また、本発明に係るバッテリーは、自動車用のバッテリー以外に、家庭用の充放電可能なバッテリー、ＰＣ等の電子機器用のバッテリーにも利用できる。
【符号の説明】
【００６２】
１，１ａ・・・放熱構造体、７・・・糸（連結部材の一例）、８，８ａ，９，９ａ・・・放熱部材、１０・・・枠部材（固定部材の一例）、１０ａ・・・バー（固定部材の一例）、２０・・・熱伝導シート、２１，２５・・・クッション部材、２２・・・貫通路、３０・・・バッテリー、３１・・・筐体、３５・・・冷却部材、４０・・・バッテリーセル（熱源の一例）。
【図１】
2020191171.tif 000003
【図２】
2020191171.tif 000004
【図３】
2020191171.tif 000005
【図４】
2020191171.tif 000006
【図５】
2020191171.tif 000007
【図６】
2020191171.tif 000008
【図７】
2020191171.tif 000009